(57)【特許請求の範囲】
【請求項１】
トランスの一次側巻線に供給する電力をスイッチング制御して前記トランスの二次側巻線に誘導起電力を発生させ、この二次側巻線の出力の変動を前記一次側巻線のスイッチング制御にフィードバックさせて、前記二次側巻線の出力変動を安定化させる電源装置において、
前記トランスには２つの二次側巻線が設けられ、各二次側巻線に整流平滑回路が設けられ、
前記２つの二次側巻線のうちの一方の二次側巻線の整流平滑回路とこの整流平滑回路に対応した出力端子との間に、この出力端子の出力を安定化するドロッパ回路を設け、
このドロッパ回路は、前記一方の二次側巻線の整流平滑回路にコレクタが接続され前記出力端子にエミッタが接続されたトランジスタと、このトランジスタのベースに接続された定電圧ＩＣと、前記出力端子の電圧が規定値を割らないように前記トランスの他方の二次巻線の整流回路から抵抗を介して前記トランジスタのベースに電流を供給する定電流源とを備え、
前記ドロッパ回路の定電流源の入力端子の電圧を監視し、この入力端子の電圧が低下したとき入力電圧監視信号を出力する電圧監視回路を設けたことを特徴とする電源装置。
【請求項２】
請求項１の電源装置において、前記一つの二次側巻線の出力端子には、前記ドロッパ回路の機能と同様な機能を有するレギュレータＩＣにより構成されていることを特徴とする電源装置。
【発明の詳細な説明】
【０００１】
【発明の属する技術分野】
この発明は、入力された直流電圧から複数の直流電圧を生成するスイッチング電源装置に関する。
【０００２】
【従来の技術】
従来から、モータやＩＣロジック回路等に使用する電源装置として図４に示すものが知られている。図４において、一次側巻線１には直流電圧が印加され、一次側巻線１の直流電圧はスイッチング回路２により交流電圧に変換され、二次側巻線３，４、５に誘導起電圧を発生する。スイッチング回路２はＦＥＴ６とＦＥＴ６を制御するコントローラ７とからなる。
【０００３】
二次側巻線３、５は二次側巻線４と位相のずれた起電力が発生するように巻き付けられており、二次側巻線３、４、５には、それぞれダイオード８，９、１０及び平滑コンデンサ１１，１２，１３が接続されている。コンデンサ１１、１３により平滑された電圧は、出力端子１４及び定電圧制御素子１７で所定の電圧に変換されて出力端子１８からそれぞれ出力される。コンデンサ１２により平滑された電圧は電圧監視回路１５に入力される。二次側巻線３の接地端子１９には、電圧監視回路１５の接地線２０、二次側巻線４の接地端子２１、二次側巻線５の接地端子２２が接続されている。
【０００４】
二次側巻線４は、ＦＥＴ６がオンの時に整流素子９が導通するように、巻き付けられているため、コンデンサ１２の電圧は電源装置の入力電圧Ｖｉｎの巻数比倍の電圧となっている。従って、コンデンサ１２の電圧を電圧監視回路１５によって監視することにより、入力電圧Ｖｉｎの低下、停電を知らせる入力電圧監視信号を電圧監視回路１５から出力することができる。
【０００５】
【発明が解決しようとする課題】
しかしながら、このスイッチング電源装置にあっては、電源装置の入力電圧の変動を監視するために、ＦＥＴ６がオンの時に導通する二次側巻線４を設ける必要があるので、トランス構造が複雑化し、検出電圧発生のための回路部品が増加するという問題がある。
【０００６】
本発明の電源装置は、このような問題に着目したものであり、二次側巻線側に複数の出力が設けられる場合、電源装置の入力電圧監視専用の二次側巻線を設けないで、トランス構造の複雑化と回路部品の増加の防止を計ることを目的とする。
【０００７】
【課題を解決するための手段】
上記課題を解決するために、請求項１の発明は、トランスの一次側巻線に供給する電力をスイッチング制御して前記トランスの二次側巻線に誘導起電力を発生させ、この二次側巻線の出力の変動を前記一次側巻線のスイッチング制御にフィードバックさせて、前記二次側巻線の出力変動を安定化させる電源装置において、
前記トランスには２つの二次側巻線が設けられ、各二次側巻線に整流平滑回路が設けられ、
前記２つの二次側巻線のうちの一方の二次側巻線の整流平滑回路とこの整流平滑回路に対応した出力端子との間に、この出力端子の出力を安定化するドロッパ回路を設け、
このドロッパ回路は、前記一方の二次側巻線の整流平滑回路にコレクタが接続され前記出力端子にエミッタが接続されたトランジスタと、このトランジスタのベースに接続された定電圧ＩＣと、前記出力端子の電圧が規定値を割らないように前記トランスの他方の二次巻線の整流回路から抵抗を介して前記トランジスタのベースに電流を供給する定電流源とを備え、
前記ドロッパ回路の定電流源の入力端子の電圧を監視し、この入力端子の電圧が低下したとき入力電圧監視信号を出力する電圧監視回路を設けたことを特徴とする。
【０００８】
本発明の請求項２の電源装置は、請求項１の電源装置において、前記一つの二次側巻線の出力端子には、前記ドロッパ回路の機能と同様な機能を有するレギュレータＩＣにより構成されていることを特徴とする。
【０００９】
【発明の実施の形態】
次に，本発明の好ましい実施形態にかかる電源装置を図面に基づいて説明する。
【００１０】
[第１実施形態]
図１は、第１の実施形態にかかるスイッチング電源装置の回路を示したものであり、一次側巻線３０に平滑コンデンサ３１と、ＦＥＴ３２，コントローラ３３が接続されている。トランスの二次側には二次側巻線３４，３５が設けられている。
【００１１】
二次側巻線３４にはダイオード３６と平滑コンデンサ３７により整流平滑回路３８が構成され、整流平滑回路３８の出力端子３９からマイクロコンピュータやモーターのインターフェース等の負荷に電力が供給されるようになっている。
【００１２】
二次側巻線３５には、ダイオード４０と平滑コンデンサ４１により整流平滑回路４２が構成され、整流平滑回路４２と出力端子４３の間にドロッパ回路４５が設けられている。
【００１３】
ドロッパ回路４５はトランジスタ４６と定電流源４７と定電圧ＩＣ４８と抵抗４９，５０とで構成されている。トランジスタ４６のコレクタにダイオード４０のカソードが接続され、トランジスタ４６のエミッタは出力端子４３に接続されている。トランジスタ４６のベースには定電流源４７の出力端子と定電圧ＩＣ４８の入力端子が接続されている。定電圧ＩＣ４８には抵抗４９，５０により構成される分圧回路から参照電圧が印加される。定電流源４７の入力側と、二次側巻線３４の出力端子３９との間は、抵抗５１により接続されており、この定電流源４７と出力端子３９とを結ぶ回路Ｂは、出力端子３９からドロッパ回路４５に電流供給を行う回路とされる。抵抗５１と定電流源４７との間のポイントＡの電圧は、電圧監視回路５２により監視されるようになっている。
【００１４】
電圧監視回路５２は電源装置の入力側電圧の低下を定電流源４７の入力側ポイントＡの電圧変動で監視している。すなわち、停電等により電源装置の入力電圧Ｖｉｎが低下するとドロッパ回路４５の入力電圧も低下し、ドロッパ回路４５は出力端子４３の電圧が規定値を割らないように、定電流源４７の電流が増加する。定電流源４７の電流が増加すると、ポイントＡの電圧が低下し、電圧監視回路５２はこの電圧低下を検知し、入力電圧監視信号を出力する。このとき、ドロッパ回路４５の出力電圧は定電流源４７の電流が増加して規定値精度となるように動作しているため、ドロッパ回路４５の出力が規定値を割る前に、停電検出の信号を簡易な方法で出力できる。
【００１５】
[第２実施形態]
図２は、本発明の第２実施形態の回路を示したものである。この第２実施形態では、ドロッパ回路４５に換えて二次側巻線３５の出力端子４３にドロッパ回路４５と同様の機能を有したレギュレータＩＣ６０を設け、電圧監視回路６１を、抵抗６２、６３及びトランジスタ６４並びに抵抗６５により構成したものである。この電圧監視回路６１では、ポイントＡの電圧低下を抵抗６２，６３からなる分圧回路によりトランジスタ６４のベース電圧を基準値として入力電圧検出信号を出力するものである。
【００１６】
[第３実施形態]
図３は、本発明の第３実施形態の回路を示したものである。この第３実施形態の回路は、第２実施形態の回路構成を更に換えたものであり、電圧監視回路６１の抵抗６２に換えて定電圧ダイオード７１を設け、電圧監視回路７０を定電圧ダイオード７１，抵抗６３，トランジスタ６４，抵抗６５により構成している。
【００１７】
このような構成とすれば、入力電圧の低下により、レギュレータＩＣ６０の電流入力端子であるポイントＡに電圧低下が起こると、電圧監視回路７０の定電圧ダイオード７１が非導通となることで、電圧低下が検知され、入力電圧監視信号が出力される。
【００１８】
【発明の効果】
本発明の請求項１、２の電源装置によれば、電源装置の入力電圧の低下はドロッパ回路或いは同機能を有するレギュレータＩＣへの供給電流の変化として現れ、さらにこの電流の変化はドロッパ回路或いはレギュレータＩＣの電流入力部における電圧変化となる。電圧監視回路は、ドロッパ回路或いはレギュレータＩＣへの電流入力部における電圧変化を検知することで、入力電圧監視信号を出力する。
【００１９】
従って、電源装置の入力電圧の低下、停電をトランスの二次側で検出する場合、入力電圧監視専用の二次側巻線を設ける必要がなくなり、トランスの構造の複雑化や回路部品の増加を抑制できる。
【図面の簡単な説明】
【図１】本発明の第１実施形態の構成を示すスイッチング電源回路
【図２】本発明の第２実施形態の構成を示すスイッチング電源回路
【図３】本発明の第３実施形態の構成を示すスイッチング電源回路
【図４】従来のスイッチング電源回路
【符号の説明】
３０  一次側巻線
３２  ＦＥＴ
３３  コントローラ
３４  二次側巻線（複数の二次側巻線の一）
３５  二次側巻線（複数の二次側巻線の二）
４５  ドロッパ回路
５１  抵抗
５２  電圧監視回路
Ａ    ドロッパ回路の定電流源の入力側ポイント
Ｂ    出力端子からドロッパ回路に電流供給を行う回路
【図１】
0004180684.tif 000002
【図２】
0004180684.tif 000003
【図３】
0004180684.tif 000004
【図４】
0004180684.tif 000005